(57)【要約】【課題】注入配管の清掃作業を容易にするとともに、作業時における安全性を向上させることを実現した注入配管清掃用具を提供する。【解決手段】冷却用の海水を流通させる冷却管２００に設けられ、冷却管２００の内部に硫酸第一鉄水溶液を注入する注入配管１２０を清掃する注入配管清掃用具１であって、注入配管１２０に挿入されかつ注入配管１２０より長い金属棒１０と、金属棒１０に固定される傘部２０とを備え、傘部２０は、シート状の傘地２２と、傘地２２の中央部に配置されかつ金属棒１０に固定される円筒体２４とを備え、金属棒１０における円筒体２４から注入配管１２０に挿入される端部までの長さは、注入配管１２０よりも長く、傘地２２は、注入配管１２０の開口部１２８から金属棒１０を挿入した場合に、注入配管１２０の外側から開口部１２８付近を覆うことによって、注入配管１２０から噴出する海水から作業員を防護する。【選択図】図１
2014077575.tif 000002
【特許請求の範囲】
【請求項１】
液体を流通させる配管に設けられかつ前記配管の内部に薬液を注入する注入配管に挿入され、当該注入配管の内部を清掃する注入配管清掃用具であって、
前記注入配管に挿入される金属棒と、
当該金属棒に固定される傘部とを備え、
前記傘部は、シート状の傘地と、当該傘地の中央部に配置されかつ前記金属棒に固定される固定部とを備え、
前記金属棒における前記固定部から前記注入配管に挿入される端部までの長さは、前記注入配管よりも長く、
前記傘地は、前記注入配管の開口部から前記金属棒を挿入した場合に、前記注入配管の外側から前記開口部付近を覆うことを特徴とする注入配管清掃用具。
【請求項２】
当該傘地は、透明部材からなることを特徴とする請求項１記載の注入配管清掃用具。
【請求項３】
前記金属棒は、湾曲可能な弾性を有することを特徴とする請求項１又は２記載の注入配管清掃用具。
【請求項４】
前記傘部は、前記金属棒に対して着脱自在であることを特徴とする請求項１〜３のいずれか１項記載の注入配管清掃用具。
【発明の詳細な説明】
【技術分野】
【０００１】
本発明は、冷却管に腐食防止用の薬液を注入する注入配管の清掃に適用される注入配管清掃用具に関する。
【背景技術】
【０００２】
従来より、発電所の復水器や冷却器の冷却水として海水が利用されている。しかし、海水には、ゴミや貝類等が含まれており、これらの異物が冷却水を通す冷却管に付着することにより、冷却効率を低下させるおそれがある。そこで、従来、特許文献１に記載されているような冷却管清掃具が提案されている。
【０００３】
特許文献１には、冷却管の内部の不純物を押し出しながら冷却管の内部を移動する、端部が閉塞された筒状の清掃具本体と、冷却管の内壁を摺動する円筒状の圧縮不織布と、冷却管の内壁を摺動する複数の円板状のスカート部と、を備えた冷却管清掃具について記載されている。
【０００４】
また、海水にはゴミや貝類以外にも電解質が含まれており、この電解質によって、冷却水を通す冷却管の内面が腐食するおそれがある。そこで、冷却管に、硫酸第一鉄を主成分とする薬液を注入するための注入配管を設け、この注入配管から薬液を注入して冷却管の内面に硫酸第一鉄の皮膜を生成させることにより、冷却管の内面が腐食することを防止している。この薬液の注入は、比較的早いサイクルで定期的に行われている。
【０００５】
しかし、硫酸第一鉄の薬液は、硫酸第一鉄の固体の薬剤を水に溶解させたものであり、容易に沈殿が発生し易い性質を備えている。このため、硫酸第一鉄の薬液が注入配管に注入されることにより、注入配管が沈殿物によって閉塞するという現象が発生し易いことから、注入配管を清掃する必要がある。
【０００６】
しかし、注入配管を清掃するために稼働中の発電所の設備を停止させるわけにはいかない。また、注入操作後毎に念入りに注入配管内を水洗しても、固化した沈殿物の残渣を完全に除去することは困難であるため、薬液の注入を繰り返す毎に残渣が増加する。その結果、注入配管に配管詰まりが発生し、薬液の注入量が低下するという現象が発生している。
【０００７】
そこで、従来、作業員が、注入配管に番線等を差し込み、注入配管を閉塞している詰まり物を押し出すことによって除去している。
【先行技術文献】
【特許文献】
【０００８】
【特許文献１】実開平６−２２７８９号公報
【発明の概要】
【発明が解決しようとする課題】
【０００９】
ところで、金属棒を差し込むことによって注入配管を清掃する作業は、発電所の設備が稼働している状態で行われる。このため、冷却管内に内圧がかかった状態であることから、注入配管から海水が噴出するおそれがある。そこで、従来、注入配管の開口における金属棒の周囲にウエスを配置し、注入配管の開口をウエスで塞いでから金属棒を往復動させることによって詰まり物を除去している。
【００１０】
しかしながら、作業員は、海水が噴出しないようにウエスを強く押し込む必要があるため、ウエスの取り付け作業は容易なものではない。また、ウエスによる押さえが不十分な場合には、海水がウエスを押し上げて噴出するおそれがあり、その際、注入配管に注入した薬液や詰まり物が海水と一緒に噴出して、作業員に付着するおそれがある。
【００１１】
本発明は、このような問題点を解決し、注入配管の清掃作業を容易にするとともに、作業時における安全性を向上させることを実現した硫酸第一鉄の注入配管清掃用具を提供することを目的とする。
【課題を解決するための手段】
【００１２】
前記目的を達成するため、本発明は、次に記載する構成を備えている。
【００１３】
（１）  液体を流通させる配管に設けられかつ前記配管の内部に薬液を注入する注入配管に挿入され、当該注入配管の内部を清掃する注入配管清掃用具であって、前記注入配管に挿入される金属棒と、当該金属棒に固定される傘部とを備え、前記傘部は、シート状の傘地と、当該傘地の中央部に配置されかつ前記金属棒に固定される固定部とを備え、前記金属棒における前記固定部から前記注入配管に挿入される端部までの長さは、前記注入配管よりも長く、前記傘地は、前記注入配管の開口部から前記金属棒を挿入した場合に、前記注入配管の外側から前記開口部付近を覆うことを特徴とする注入配管清掃用具。
【００１４】
（１）によれば、注入配管に金属棒を挿入して、注入配管に付着している詰まり物を押し出す作業を行っている時に、注入配管から海水が噴出しても傘部によって阻止されるため、作業者まで海水が到達することが防止できる。これにより、従来のように、注入配管の開口をウエスで塞ぐ必要がなくなり、注入配管を清掃する作業性が向上する。しかも、薬液や詰まり物が海水とともに噴出しても、作業員は傘部によって防護されるため、作業時における安全性を向上させることが可能になる。
【００１５】
（２）  （１）において、前記傘地は、透明部材からなることを特徴とする注入配管清掃用具。
【００１６】
（２）によれば、注入配管を清掃している際に、開口部付近を傘地越しに視認することが可能になる。このため、注入配管の清掃状態を確認することが可能になるとともに、清掃状態を確認する際の安全性を確保することが可能になる。
【００１７】
（３）  （１）又は（２）において、前記金属棒は、湾曲可能な弾性を有することを特徴とする注入配管清掃用具。
【００１８】
（３）によれば、注入配管内に、例えば弁が設けられていても、弁をよけるように金属棒が湾曲することにより、注入配管内に金属棒を円滑に挿入することが可能になる。
【００１９】
（４）  （１）〜（３）において、前記傘部は、前記金属棒に対して着脱自在である注入配管清掃用具。
【００２０】
（４）によれば、傘部が金属棒に対して着脱自在であるため、例えば、金属棒に金属疲労が発生した場合に、金属棒を交換することが可能になる。
【発明の効果】
【００２１】
本発明によれば、注入配管の清掃作業を容易にするとともに、作業時における安全性を向上させることを実現した硫酸第一鉄の注入配管清掃用具を提供することが可能になる。
【図面の簡単な説明】
【００２２】
【図１】本発明の一実施形態における注入配管清掃用具の構成を示す説明図である。
【図２】冷却管２００へ薬液を供給する薬液供給システム１００を示す説明図である。
【図３】注入配管１２０の上部の構成を示す斜視図である。
【図４】本発明の一実施形態における注入配管清掃用具１の変形例を示す説明図である。
【発明を実施するための形態】
【００２３】
以下、本発明の実施形態について、図面を参照しながら詳細に説明する。
【００２４】
図１は、本発明の一実施形態における注入配管清掃用具１の構成を示す説明図である。注入配管清掃用具１は、金属棒１０と、傘部２０とを備えている。注入配管清掃用具１は、例えば、発電所の復水器や冷却器の冷却水として利用する海水を流通させる冷却管２００から立設した注入配管１２０を清掃するものである。
【００２５】
金属棒１０は、冷却管２００に設けられた注入配管１２０に挿入する円柱状の長尺部材である。金属棒１０は、注入配管１２０よりも長く、径方向に湾曲可能な弾性を備えている。例えば、金属棒１０としては、番線が適用可能である。なお、以下の説明の便宜上、金属棒１０における注入配管１２０に挿入する側の端部を挿入端部、挿入端部の反対側の端部を先端部と称することにする。
【００２６】
傘部２０は、複数の湾曲可能な弾性を有する細長い棒状部材２１ａを有する骨部２１と、複数の棒状部材２１ａに取り付けられるシート状の傘地２２と、骨部２１における複数の棒状部材２１ａの一端部を揺動可能に支持する円筒体２４とを備えている。複数の棒状部材２１ａは、円筒体２４を中心として放射状に配置されている。
【００２７】
傘地２２は、透明なプラスチック製である。円筒体２４は、傘地２２の中央部に配置され、金属棒１０に対して着脱自在である。このため、傘部２０と金属棒１０とは分離可能である。また、円筒体２４は、金属棒１０に沿ってスライド可能な可動状態と、金属棒１０上の任意の位置で固定される固定状態とに切り替える機構を備えている。このように、円筒体２４は、固定部に相当する。
【００２８】
また、傘部２０は、円筒体２４が金属棒１０に固定された状態において、複数の棒状部材２１ａを金属棒１０の軸方向に沿って揺動させる機構を備えている。複数の棒状部材２１ａを金属棒１０の先端部側に移動させた場合には、図１に示すように、複数の棒状部材２１ａが広がるとともに傘地２２の外側に向かって膨らむように湾曲することによって傘地２２が張った状態となり、所謂、雨傘を開いた状態となる。また、複数の棒状部材２１ａを金属棒１０の挿入端部側に移動させた場合には、複数の棒状部材２１ａが金属棒１０側に回動することにより、所謂、雨傘を閉じた状態となる。
【００２９】
注入配管清掃用具１は、金属棒１０に円筒体２４を挿入し、円筒体２４を金属棒１０に固定することによって構成される。この時、金属棒１０における棒状部材２１ａの自由端側の端部が挿入端部となり、円筒体２４側の端部が先端部となる。
【００３０】
図２は、冷却管２００へ薬液を供給する薬液供給システム１００を示す説明図である。薬液供給システム１００は、薬液注入装置１１０と、配管１１２と、注入配管１２０とを備えている。
【００３１】
図２において、冷却管２００は、発電所の復水器（図示せず）や冷却器（図示せず）に対して冷却水として用いる海水を流通させるものである。このように、冷却管２００は、液体を流通させる配管に相当する。
【００３２】
薬液注入装置１１０は、薬液を予め定められたタイミングで送出するものである。本実施形態においては、薬液として硫酸第一鉄水溶液が送出される。
【００３３】
配管１１２は、薬液注入装置１１０から送出された薬液を注入配管１２０に導くものである。
【００３４】
注入配管１２０は、冷却管２００に設けられ、冷却管２００の内部に配管１１２によって導かれた薬液を移送するものである。
【００３５】
すなわち、薬液注入装置１１０から送出された薬液は、配管１１２及び注入配管１２０を通って、冷却管２００に注入される。薬液注入装置１１０からの薬液が冷却管２００に注入されることにより、冷却管２００の内面に硫酸第一鉄の皮膜が形成される。これにより、冷却管２００の内面が、海水によって腐食することを防止することができる。
【００３６】
図３は、注入配管１２０の上部の構成を示す斜視図である。注入配管１２０は、配管本体１２２と、頭部１２４と、連結部１３０と、開閉弁１３２と、レバー１３６とを備えている。
【００３７】
配管本体１２２は、冷却管２００の上部から鉛直方向に立設した円筒体であり、配管本体１２２と冷却管２００とは連通している。頭部１２４は、配管本体１２２の上端部に固定される、所謂フランジ状の部材である。すなわち、頭部１２４には、上面に配管本体１２２よりも大きい内径の円柱状の凹部１２６が形成されており、凹部１２６の底面の中心部に、配管本体１２２に連通する開口部１２８が形成されている。連結部１３０は、配管本体１２２に設けられ、配管１１２に連結する部材である。
【００３８】
開閉弁１３２は、配管本体１２２内に配置され、配管本体１２２の上部を開閉するものである。レバー１３６は、配管本体１２２の外部に配置され、配管本体１２２内で開閉弁１３２に連結されており、作業員の操作によって開閉弁１３２を作動させるものである。すなわち、開閉弁１３２が作動することにより、開口部１２８が開放状態及び閉鎖状態のいずれかに切り替えられる。
【００３９】
開閉弁１３２は、冷却管２００の空気抜きを行う場合、又は注入配管１２０の清掃を行う場合に開放される。これにより、開口部１２８から金属棒１０が挿入可能な開放状態となる。
【００４０】
また、図１において、金属棒１０の長さは、注入配管１２０よりも長く設定されている。具体的に、金属棒１０の先端から円筒体２４までの長さは、少なくとも作業員が把持できる程度の長さに設定されており、円筒体２４から金属棒１０の挿入端からまでの長さは、注入配管１２０の長さ以上に設定されている。また、傘部２０の固定位置は、金属棒１０を開口部１２８に挿入した場合に、頭部１２４よりも上方に位置するように設定されている。このため、傘部２０を開くことにより、開口部１２８及びその周辺付近は、透明部材からなる傘地２２によって覆われる。なお、金属棒１０における円筒体２４の固定範囲を予め色分けしておくことが好ましい。
【００４１】
次に、図１、図３を参照しながら清掃作業について説明する。
まず、作業員は、レバー１３６を操作して開閉弁１３２を作動させ、注入配管１２０の開口部１２８を開放する。次に、作業員は、傘部２０を開いてから金属棒１０の先端部を把持し、開口部１２８に、注入配管清掃用具１における金属棒１０の挿入端部を挿入する。この際、開口部１２８にウエスを載置してもよい。注入配管１２０内に詰まり物が存在する場合に、作業員は、金属棒１０の挿入端部で詰まり物を叩くように往復動させたり、押し込んだりする作業を行う。これにより、詰まり物は破壊されるか若しくは押し出され、冷却管２００内に落下する。冷却管２００内に落下した詰まり物は冷却管２００を流れる海水によって押し流される。
【００４２】
ここで、注入配管１２０内から詰まり物が除去された時に、冷却管２００の内外の圧力差によって冷却管２００内の海水が注入配管１２０を通り、開口部１２８から噴出する場合がある。この時、開口部１２８から噴出した海水、薬剤、詰まり物等は、傘地２２の内側に当たり、作業員まで飛散することが阻止される。このように、作業員は傘部２０によって防護され、注入配管１２０の清掃作業の安全性が向上する。
【００４３】
注入配管１２０内から詰まり物を除去した後、作業員は、注入配管１２０から注入配管清掃用具１の金属棒１０を引き出し、レバー１３６を操作して開閉弁１３２を作動させ、注入配管１２０の開口部１２８を閉鎖する。これにより、注入配管１２０の清掃作業が終了する。清掃作業の終了後、傘部２０を閉じることにより、注入配管清掃用具１の収納スペースを小さくすることが可能になる。
【００４４】
以上、説明したように構成された本実施形態によれば、注入配管１２０に金属棒１０を挿入して、注入配管１２０を閉塞している詰まり物を押し出す作業を行っている時に、注入配管１２０から海水が噴出しても傘部２０によって阻止されるため、作業者まで海水が到達することを防止できる。これにより、従来のように、注入配管１２０の開口部１２８をウエスで塞ぐ必要がなくなり、注入配管１２０を清掃する作業性が向上する。しかも、薬液や詰まり物が海水とともに噴出しても、作業員は傘部２０によって防護されるため、作業時における安全性を向上させることが可能になる。
【００４５】
また本実施形態によれば、傘部２０の傘地２２が透明部材によって構成されているため、注入配管１２０を清掃している際に、開口部１２８付近を傘地２２越しに視認することが可能になる。このため、注入配管１２０の清掃状態を確認することが可能になるとともに、清掃状態を確認する際の安全性を確保することが可能になる。
【００４６】
また本実施形態によれば、金属棒１０が湾曲可能な弾性を有しているため、注入配管１２０内に開閉弁１３２が存在しても、その開閉弁１３２をよけるように金属棒１０が湾曲することにより、注入配管１２０内に金属棒１０を円滑に挿入することが可能になる。
【００４７】
また本実施形態によれば、傘部２０が、金属棒１０に対して着脱自在であるため、金属棒１０に金属疲労が発生した場合に、金属棒１０の先端部が新たな挿入端部になるように傘部２０を固定し直したり、金属棒１０を交換したりすることが可能になる。
【００４８】
また本実施形態によれば、冷却管２００は海水を流通させ、冷却管２００に注入する薬液が硫酸第一鉄水溶液であることにより、冷却管２００内が硫酸第一鉄で皮膜される。これにより、海水によって冷却管２００の内面が腐食することを防止することが可能になる。
【００４９】
以上、本発明の実施形態について説明したが、本発明は上述した実施形態に限るものではない。例えば、図４に示すように、金属棒１０に開口部１２８を塞ぐための押さえ部５０を設けてもよい。
【００５０】
図４は、本発明の一実施形態における注入配管清掃用具１の変形例を示す説明図であり、押さえ部５０は、ウエス５２と、リング体５４と、コイルばね５６とを備えている。
【００５１】
ウエス５２は、リング形状の布地を複数枚重ねて厚手に構成した部材であり、ウエス５２の外径は、注入配管１２０における頭部１２４の凹部１２６（図３参照）に適合する大きさに設定され、中央の孔部の径は、金属棒１０の径より若干大きく設定されている。
【００５２】
リング体５４は、平面視した場合にウエス５２と同型の硬質部材であり、リング体５４の表面にウエス５２が固定される。
【００５３】
コイルばね５６は、金属棒１０に遊嵌可能であり、コイルばね５６の一端には、傘部２０の円筒体２４が固定され、他端には、リング体５４が固定されている。
【００５４】
そして、金属棒１０の先端部に、円筒体２４、コイルばね５６、リング体５４、ウエス５２の順で挿入し、円筒体２４を金属棒１０における所定の位置で固定することにより、金属棒１０に、傘部２０及び押さえ部５０が設置される。
【００５５】
注入配管１２０を清掃する際には、金属棒１０の先端部を挿入するとともに、ウエス５２を頭部１２４の凹部１２６内に収納した後に、作業員は、金属棒１０を往復動させ、注入配管１２０内の詰まり物を除去する。
【００５６】
このように、図４に示す注入配管清掃用具１によれば、作業員が清掃作業を行っている間はコイルばね５６からの下方への付勢力がリング体５４に加わるため、ウエス５２が押し下げられた状態で維持される。これにより、注入配管１２０から海水が噴出しようとした場合に、ウエス５２によって海水の注入配管１２０外への噴出が阻止される。仮に、ウエス５２と金属棒１０との隙間から海水が噴出しても、作業員は傘部２０によって防護される。
【００５７】
なお、図４に示す注入配管清掃用具１においては、コイルばね５６の一端が傘部２０の円筒体２４が固定されているが、コイルばね５６の一端と円筒体２４とを切り離してもよい。この場合、金属棒１０を注入配管１２０に挿入する動作を行った場合に、円筒体２４がコイルばね５６の一端を押圧可能な構成とすることが望ましい。
【符号の説明】
【００５８】
１  注入配管清掃用具
１０  金属棒
２０  傘部
２１  骨部
２１ａ  棒状部材
２２  傘地
２４  円筒体
５０  押さえ部
５２  ウエス
５４  リング体
５６  コイルばね
１００  薬液供給システム
１１０  薬液注入装置
１１２  配管
１２０  注入配管
１２２  配管本体
１２４  頭部
１２８  開口部
１３０  連結部
１３２  開閉体
１３６  レバー
２００  冷却管
【図１】
2014077575.tif 000003
【図２】
2014077575.tif 000004
【図３】
2014077575.tif 000005
【図４】
2014077575.tif 000006